(57)【要約】【課題】着用者の股下から臀部にかけてのフィット性に優れた吸収性物品を提供すること。【解決手段】吸収性コア２４は、吸収性物品を縦方向Ｘに二等分して横方向Ｙに延びる横中央線ＣＬｘに位置するコア中央部２４０と、該コア中央部２４０の前記縦方向の後端に連接され、該横中央線ＣＬｘから吸収性コア２４の後端までの領域を縦方向Ｘに三等分して３領域に区分したときの後端側の２領域からなる領域であるコア後方部２４２とを有している。吸収性コア２４における少なくともコア後方部２４２に、横方向Ｙに延びる複数のスリットが縦方向Ｘに間隔を空けて形成されている。吸収性物品は、コア後方部２４２の縦方向Ｘに沿う両側縁それぞれと交差し、且つ横方向Ｙに延びる伸縮部材５を有している。【選択図】図５
2018082853.tif 000002
【特許請求の範囲】
【請求項１】
表面シート、裏面シート及びこれらの間に配された吸収性コアを有し、着用者の前後方向に相当する縦方向とこれに直交する横方向とを有する吸収性物品であって、
前記吸収性コアは、前記吸収性物品を前記縦方向に二等分して前記横方向に延びる横中央線に位置するコア中央部と、該コア中央部の前記縦方向の後端に連接され、該横中央線から前記吸収性コアの後端までの領域を前記縦方向に三等分して３領域に区分したときの後端側の２領域からなる領域であるコア後方部とを有しており、
前記吸収性コアにおける少なくとも前記コア後方部に、前記横方向に延びる複数のスリットが前記縦方向に間隔を空けて形成されており、
前記吸収性物品は、前記コア後方部の前記縦方向に沿う両側縁それぞれと交差し且つ前記横方向に延びる伸縮部材を有している、吸収性物品。
【請求項２】
前記コア後方部の前記横方向の長さが、前記コア中央部における前記横中央線の位置での前記横方向の長さよりも大きい、請求項１に記載の吸収性物品。
【請求項３】
前記伸縮部材は、前記コア後方部の前記横方向の中央部において連続していない、請求項１又は２に記載の吸収性物品。
【請求項４】
前記伸縮部材は、複数の前記スリットのうちの少なくとも１つと、前記縦方向において重なって位置している、請求項１〜３の何れか１項に記載の吸収性物品。
【請求項５】
前記吸収性物品は、前記吸収性コアを含む吸収性本体と、該吸収性本体の非肌対向面側に配された外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であり、
前記伸縮部材は、前記サイドシール部まで延びている、請求項１〜４のいずれか１項に記載の吸収性物品。
【請求項６】
前記吸収性物品は、前記一対のレッグ開口部それぞれの開口縁部に沿ってレッグ弾性部材が配されており、
前記レッグ弾性部材として、前記背側部から前記股下部に亘って配されている背側レッグ弾性部材を有し、該背側レッグ弾性部材は、前記開口縁部に配されている本体部分と、前記開口縁部から離れて前記吸収性物品の前記横方向の中央に向かって延出する延出部分とを有しており、
前記伸縮部材は、前記背側レッグ弾性部材の前記延出部分である、請求項５に記載の吸収性物品。
【請求項７】
前記スリットは、前記横方向における両端部それぞれが、前記コア後方部の側縁部に達していない、請求項１〜６の何れか１項に記載の吸収性物品。
【発明の詳細な説明】
【技術分野】
【０００１】
本発明は、使い捨ておむつ等の吸収性物品に関する。
【背景技術】
【０００２】
吸収性物品には、着用者の身体形状に沿うように変形し、着用者の肌に密着することが望まれている。斯かる要望に応え得る技術として、吸収性物品の構成部材の中でも特に剛性の高い吸収体に、スリットや開口を形成する技術が知られている。
【０００３】
例えば特許文献１には、前胴回り領域と、後胴回り領域と、着用者の股間部に当てられる股下領域と、股下領域と前胴回り領域との間及び股下領域と後胴回り領域との間に位置する一対の中間股下領域とを有し、吸収体が内方向に凸に屈曲できるように、長さ方向に沿って吸収体に形成された中央屈曲部と、吸収体が外方向に凸に屈曲できるように、長さ方向に沿って吸収体に形成された一対のサイド屈曲部とを備え、一対の中間股下領域の少なくとも何れかにおいて、長さ方向に沿って吸収体を横断するとともに、吸収体に固定される横断弾性材を備える、使い捨て着用物品が記載されている。
【０００４】
また特許文献２には、吸収性物品の長さ方向に沿って伸縮するように配設される第１弾性体と、吸収性物品の長手方向に沿って伸縮するように配設される第２弾性体とを備え、吸収体には、吸収性物品の長手方向に沿って形成される屈曲部が設けられ、第１弾性体は、前胴回り領域及び後胴回り領域の少なくとも一方の領域において、一方の側縁部から他方の側縁部まで連続し、第２弾性体の少なくとも一部は、第１弾性体と交差するとともに、吸収性物品の厚み方向において屈曲部と重なる吸収性物品が記載されている。
【０００５】
また特許文献３には、吸収体における、尾骨部の腰部側の部位から尾骨部の長さ方向両側に向かう方向と、尾骨部の股間部側の部位から股間部側に近づきつつ長さ方向両側に向かう方向とによって囲まれる四辺形部分が、圧搾凹部または切欠部として形成されている吸収性物品が記載されている。
【先行技術文献】
【特許文献】
【０００６】
【特許文献１】特開２０１１−１７７３０９号公報
【特許文献２】特開２０１０−２７９６１２号公報
【特許文献３】特開２００６−２７１８９８号公報
【発明の概要】
【発明が解決しようとする課題】
【０００７】
しかし、特許文献１〜３に記載の吸収性物品における吸収性コアを、排泄部から臀部にかけての部位に合わせて変形させることは困難であり、これら吸収性物品の着用時におけるフィット性は不十分であった。
【０００８】
本発明の課題は、従来技術が有する課題を解決し得る吸収性物品を提供することにある。
【課題を解決するための手段】
【０００９】
本発明は、表面シート、裏面シート及びこれらの間に配された吸収性コアを有し、着用者の前後方向に相当する縦方向とこれに直交する横方向とを有する吸収性物品であって、前記吸収性コアは、前記吸収性物品を前記縦方向に二等分して前記横方向に延びる横中央線に位置するコア中央部と、該コア中央部の前記縦方向の後端に連接され、該横中央線から前記吸収性コアの後端までの領域を前記縦方向に三等分して３領域に区分したときの後端側の２領域からなる領域であるコア後方部とを有しており、前記吸収性コアにおける少なくとも前記コア後方部に、前記横方向に延びる複数のスリットが前記縦方向に間隔を空けて形成されており、前記吸収性物品は、前記コア後方部の前記縦方向に沿う両側縁それぞれと交差し且つ前記横方向に延びる伸縮部材を有している、吸収性物品を提供するものである。
【発明の効果】
【００１０】
本発明によれば、着用者の股下から臀部にかけてフィット性に優れた吸収性物品が提供される。
【図面の簡単な説明】
【００１１】
【図１】図１は、本発明の吸収性物品の一実施形態であるパンツ型使い捨ておむつを示す斜視図である。
【図２】図２は、図１に示すおむつの展開且つ伸長状態における肌対向面側を模式的に示す展開平面図である。
【図３】図３は、図２のＩ−Ｉ線断面を模式的に示す横断面図である。
【図４】図４は、図１に示すおむつを示す分解斜視図である。
【図５】図５（ａ）は、図１に示すおむつが具備する吸収性コアを模式的に示す平面図であり、図５（ｂ）は、図５（ａ）に示す吸収性コアにおけるコア後方部の拡大図である。
【図６】図６は、図５に示す吸収性コアにおけるスリットを模式的に示す平面図である。
【図７】図７（ａ）及び（ｂ）は、本発明に係るスリット領域の複数のスリットの配置パターンを模式的に示す平面図である。
【図８】図８は、本発明に係る吸収性コアの着用時における変形状態を示す斜視図である。
【発明を実施するための形態】
【００１２】
以下本発明を、その好ましい実施形態に基づき図面を参照しながら説明する。図１〜図４には、本発明の吸収性物品の一実施形態であるパンツ型使い捨ておむつの一例であるおむつ１の基本構成が示されている。おむつ１は、着用者の前後方向に相当する縦方向Ｘとこれに直交する横方向Ｙとを有すると共に、股下部Ｂ並びに該股下部Ｂの前後から縦方向Ｘに延出する腹側部Ａ及び背側部Ｃを有し、液保持性を有する吸収体２３（吸収性コア２４）を股下部Ｂに具備する。股下部Ｂは、おむつ１の着用状態において着用者の股間部に配される部位であり、腹側部Ａは、おむつ１の着用状態において股下部Ｂよりも着用者の腹側即ち縦方向Ｘの前側に配される部位であり、背側部Ｃは、おむつ１の着用状態において股下部Ｂよりも着用者の背側即ち縦方向Ｘの後側に配される部位である。
【００１３】
おむつ１は、吸収体２３を具備する吸収性本体２と、該吸収性本体２よりも着用者の身体から遠い側に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１４】
おむつ１は、図２に示すように、おむつ１を縦方向Ｘに二等分して横方向Ｙに延びる横中央線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１の着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。
【００１５】
吸収性本体２は、図２に示すように、おむつ１の展開且つ伸長状態において、平面視長方形形状をなし、腹側部Ａから背側部Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１６】
吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、液保持性の吸収性コア２４と、該吸収性コア２４の表面（肌対向面及び非肌対向面の両面）を被覆するコアラップシート２５とを含んで構成されている。吸収性コア２４とコアラップシート２５との間は、ホットメルト型接着剤等の公知の接合手段により接合されている。
【００１７】
本明細書において、「肌対向面」は、吸収性物品又はその構成部材（例えば吸収性コア）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１８】
吸収性コア２４は、着用者の排泄部に対向する、具体的には横中央線ＣＬｘに位置するコア中央部２４０、該コア中央部２４０の前後から縦方向Ｘに延出するコア前方部２４１及びコア後方部２４２を有している。本実施形態の吸収性コア２４は、扁平な単層構造を有するもので、図５（ａ）に示すように、横方向Ｙの長さが最も短いコア中央部２４０の縦方向Ｘの前端にコア中央部２４０よりも横方向Ｙの長さが長いコア前方部２４１が連接されていると共に、コア中央部２４０の縦方向Ｘの後端にコア中央部２４０よりも横方向Ｙの長さが長いコア後方部２４２が連接されている。このように、本実施形態の吸収性コア２４は、平面視において縦方向Ｘの側縁にくびれを有する砂時計状の形状をしているが、縦方向Ｘの側縁にくびれの無い長方形であってもよい。また、吸収性コア２４の外形形状（輪郭線）は、吸収性コア２４を横方向Ｙに二等分して縦方向Ｘに延びる縦中央線ＣＬｙを基準として、一方側と他方側とで対称に形成されている。
おむつ１における吸収性コア２４は、図２に示す如きおむつ１の展開且つ伸長状態の平面視において、外装体３における腹側部Ａの側縁部ＡＳと背側部Ｃの側縁部ＣＳとに挟まれた領域である、股下部Ｂに配されているが、吸収性コア２４の縦方向Ｘにおける端部が腹側部Ａ又は背側部Ｃに達していてもよい。
【００１９】
吸収性コア２４を被覆するコアラップシート２５は、図２に示すように、吸収性コア２４よりも縦方向Ｘの長さが長く、吸収性コア２４の縦方向Ｘの前端２４ａ及び後端２４ｂそれぞれから縦方向Ｘの外方に延出し、股下部Ｂのみならず、腹側部Ａ及び背側部Ｃにも配されている。コアラップシート２５は、吸収性コア２４の全体を被覆し得る大きさを有する１枚の連続したシートであっても良く、あるいは、吸収性コア２４の肌対向面を被覆する１枚の肌側コアラップシートと、非肌対向面を被覆する１枚の非肌側コアラップシートとから構成されていても良い。
表面シート２１及び裏面シート２２も同様に、吸収性コア２４よりも縦方向Ｘの長さが長く、吸収性コア２４の縦方向Ｘの前後端２４ａ，２４ｂそれぞれから縦方向Ｘの外方に延出し、その延出部が腹側部Ａ及び背側部Ｃに配されている。本実施形態において、表面シート２１及び裏面シート２２の縦方向Ｘの前後端の位置と、コアラップシート２５の縦方向Ｘの前後端の位置とは同じになっている。
【００２０】
表面シート２１、裏面シート２２並びに吸収体２３を構成する吸収性コア２４及びコアラップシート２５としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２４は、吸収性材料を含むコア形成材料の堆積物である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、紙、不織布等の液透過性シートを用いることができる。
【００２１】
図２及び図３に示すように、吸収性本体２の肌対向面における縦方向Ｘに沿う左右両側部には、液抵抗性又は撥水性で且つ通気性のシート材から構成された一対の防漏カフ２６，２６が設けられている。各防漏カフ２６の自由端部の近傍には糸状の防漏カフ形成用弾性部材２７が１本以上伸長状態で配されている。防漏カフ２６は、伸長状態で配された弾性部材２７がおむつ１の着用時に収縮することによって少なくとも股下部Ｂで起立し、それによって尿等の排泄液の横方向Ｙの外方への流出を阻止する。
【００２２】
外装体３は、図２に示す如き展開且つ伸長状態のおむつ１の外形を形作っており、外装体３の周縁は、その状態のおむつ１の輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００２３】
外装体３は、図３に示すように、着用状態においておむつ１の外面即ち非肌対向面を形成する外層シート３１と、外層シート３１の肌対向面３１ａに対向配置された内層シート３２との積層体を含んで構成されている。おむつ１の着用状態において、外層シート３１は着用者の身体から遠い側に位置して、おむつ１の非肌対向面（外面）を形成し、内層シート３２は着用者の身体に近い側に位置して、おむつ１の肌対向面（内面）を形成する。外層シート３１と内層シート３２とは、所定の部位において接着剤等の接合手段を介して互いに接合されている。外層シート３１は、図４に示すように腹側部Ａ及び背側部Ｃに、内層シート３２の縦方向Ｘの端縁から延出する部分３１Ｅを有し、その延出部３１Ｅは、図２に示すように、内層シート３２の肌対向面側に折り返され、吸収性本体２の縦方向Ｘの端部を被覆している。
【００２４】
外装体３は、図４に示すように、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部及びその近傍には、１本又は複数本（本実施形態では複数本）のウエストギャザー形成用のウエスト弾性部材３３が横方向Ｙの全長にわたって伸長状態で配されており、これによってウエスト開口部ＷＨには、その全周にわたって実質的に連続した環状のウエストギャザーが形成されている。
【００２５】
おむつ１は、一対のレッグ開口部ＬＨ，ＬＨを有し、該開口部それぞれの開口縁部に沿ってレッグギャザーを形成するレッグ弾性部材が配されている。このレッグ弾性部材として、おむつ１は、図２に示すように、後身頃Ｒに伸長状態で配された複数本の背側レッグ弾性部材３４を備えている。尚、おむつ１においては、前身頃Ｆにはレッグ弾性部材は配されていないが、前身頃Ｆに腹側レッグ弾性部材が配されていても良く、その腹側レッグ弾性部材は、背側レッグ弾性部材３４と同様の配置形態とすることができる。また、開口縁部に沿って配されるレッグ弾性部材は１本であっても良いし、複数本であっても良い。
ウエスト弾性部材３３及びレッグ弾性部材は、それぞれ糸状又は帯状であり、外装体３を構成する外層シート３１と内層シート３２との間に接着剤により挟持固定されている。
【００２６】
内層シート３２は、図４に示すように、１枚の連続したシートから構成されているのに対し、外層シート３１は複数枚のシートが組み合わされて構成されており、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２７】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮性シートを用い、外層シート３１の残りの部分即ち股下外層シート３１Ｂ及び内層シート３２は、伸縮性を有していない非伸縮性シートを用いることができる。外装体３として使用可能な伸縮性シートとしては、例えば、弾性繊維層の両面又は片面に伸長可能な繊維層が一体化されている伸縮性シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮性シートとしては、例えば、各種製法による不織布が挙げられ、具体的にはスパンボンド不織布、エアスルー不織布、ニードルパンチ不織布を例示できる。
【００２８】
吸収性コア２４は前述したとおり、縦方向Ｘの前端２４ａ側から順に、コア前方部２４１、コア中央部２４０、コア後方部２４２を有している〔図５（ａ）参照〕。コア中央部２４０は、横中央線ＣＬｘに跨った状態で配されている。また、コア後方部２４２は、縦方向Ｘにおけるおむつ１の中央位置、即ち横中央線ＣＬｘより後方に配されている。より具体的には、コア後方部２４２は、横中央線ＣＬｘから吸収性コア２４の後端２４ｂまでの領域を、該領域の縦方向Ｘの長さＬＢ〔図５（ｂ）参照〕を三等分して３領域に区分したときに、後端２４ｂ側の２領域からなる領域である。
【００２９】
吸収性コア２４は、図５（ａ）及び（ｂ）に示すように、おむつ１の縦方向中央即ち横中央線ＣＬｘよりも縦方向Ｘの後側の領域において、縦方向Ｘの前側から後側に向かうに従って横方向Ｙの長さが漸次増加する後方第１領域２４３を有している。また吸収性コア２４は、後方第１領域２４３の縦方向Ｘの後端に連接された後方第２領域２４４を有している。前述した通り、吸収性コア２４は、縦方向Ｘの前側から順に、コア前方部２４１、コア中央部２４０、コア後方部２４２を有しているところ、コア後方部２４２は、後方第１領域２４３及び後方第２領域２４４を含んで構成されている。即ち、吸収性コア２４の各部は、縦方向Ｘの前側から、コア前方部２４１、コア中央部２４０、後方第１領域２４３、後方第２領域２４４の順で縦方向Ｘに配されている。吸収性コア２４の外形形状（輪郭線）は、吸収性コア２４を横方向Ｙに二等分して縦方向Ｘに延びる縦中央線ＣＬｙを基準として、一方側と他方側とで対称に形成されている。
コア中央部２４０は、図５（ａ）に示すように、縦方向Ｘに所定の長さを有する領域であり、横方向Ｙの長さが一定の領域である。即ち、コア中央部２４０の縦方向Ｘに沿う両側縁は、それぞれ縦方向Ｘに平行である。コア中央部２４０は、おむつ１の縦方向中央即ち横中央線ＣＬｘに位置している。
【００３０】
後方第１領域２４３は、吸収性コア２４において、着用者の排泄部（ペニス等）から臀部にかけての部位に対応し得る位置に配されている。後方第１領域２４３の縦方向Ｘの前端（コア中央部２４０と後方第１領域２４３との境界）は、着用者の排泄部に対向配置される部位（排泄部対向部）と略同位置にあるところ、その排泄部対向部は通常、おむつ１の縦方向Ｘの中央即ち横中央線ＣＬｘ上か、又は横中央線ＣＬｘよりもやや縦方向Ｘの前側に偏倚した位置にある。また、後方第１領域２４３の縦方向Ｘの後端（後方第１領域２４３と後方第２領域２４４との境界）は、着用者のお尻の割れ目（臀裂）の前側寄りの部位と略同位置にある。本実施形態の後方第１領域２４３は、縦方向Ｘに沿う両側縁が、それぞれ図５（ａ）及び（ｂ）に示す如き平面視において、縦方向Ｘ及び横方向Ｙの両方向に交差する方向に延びており、コア中央部２４０と後方第１領域２４３（コア後方部２４２）との境界から、横方向Ｙの外方且つ縦方向Ｘの後方に向かって斜めに延びている。尚、後方第１領域２４３は、横方向Ｙにおける該後方第１領域２４３の長さが一定であってもよい。
【００３１】
後方第２領域２４４は、図５（ａ）及び（ｂ）に示すように、その前側に位置する後方第１領域２４３に比して、縦方向Ｘにおける横方向Ｙの長さの変化が少ない。おむつ１においては、後方第２領域２４４の横方向Ｙの長さは一定であり、該横方向Ｙの長さは縦方向Ｘにおいて変化しない。つまり、後方第２領域２４４の縦方向Ｘに沿う両側縁２４４Ｌ，２４４Ｌは、それぞれ、縦方向Ｘに平行である。尚、後方第２領域２４４の長さは縦方向Ｘにおいて変化しなくても良いし、変化しても良い。即ち、後方第２領域２４４の側縁２４４Ｌは平面視において、縦方向Ｘ及び横方向Ｙの両方向に交差する方向に延びる直線でも良く、あるいは曲線でも良い。後方第２領域２４４は、後方第１領域２４３に比して、縦方向Ｘの長さが長い。
【００３２】
吸収性コア２４は、図５（ａ）、（ｂ）及び図６に示すように、横方向Ｙに延びる複数のスリット４０が縦方向Ｘに間隔を空けて形成されたスリット領域４を有している。具体的に、吸収性コア２４は、少なくともコア後方部２４２に、横方向Ｙに延びる複数のスリット４０が縦方向Ｘに間隔を空けて形成されている。すなわち、スリット領域４は、図５（ａ）に示すように、少なくともコア後方部２４２に形成されている。より具体的にはスリット領域４は、図５（ａ）に示すように、縦方向Ｘにおいて、コア中央部２４０の後端近傍の部分から、コア後方部２４２の前端近傍の部分に亘って形成されている。このスリット領域４は、該領域４の中心から最も外方に位置するスリット４０、即ち該領域４の縦方向Ｘ又は横方向Ｙにおいて最も外方に位置する各スリット４０の外周部の一部及びこれらを結んだ線で囲まれた領域である。本実施形態の吸収性コア２４は、図６に示すように、コア中央部２４０の後端２４ｂ側の部分からコア後方部２４２にかけて、前端２４ａ側から順に第１〜５スリット４０ａ，４０ｂ，４０ｃ，４０ｄ，４０ｅを有している。本明細書では、第１〜５スリット４０ａ，４０ｂ，４０ｃ，４０ｄ，４０ｅを総称してスリット４０ともいう。スリット４０は縦方向Ｘに間隔を空けて形成されている。また、スリット４０は、吸収性コア２４の前端側の縁部４１と、後端側の縁部４２とを有しており、横方向Ｙに延びた半円状の形状をしている。
【００３３】
おむつ１は、図２及び図５（ａ）及び（ｂ）に示すように、縦方向Ｘに沿う縦中央線ＣＬｙの両側それぞれに、該コア後方部２４２の縦方向Ｘに沿う両側縁それぞれと交差し且つ横方向Ｙに延びる伸縮部材５を有している。この伸縮部材５は、図５（ｂ）に示すように、コア後方部２４２と重なる部分５ａと、横方向Ｙにおけるコア後方部２４２の外方に延出する部分５ｂとを有している。以下、伸縮部材５のコア後方部２４２と重なる部分５ａを第１伸縮部材部分５ａ〔図５（ｂ）参照〕、また横方向Ｙにおけるコア後方部２４２の外方に延出する部分５ｂを第２伸縮部材部分５ｂ〔図５（ｂ）参照〕ともいう。また、伸縮部材５は伸長状態で配されており、横方向Ｙにおける該コア後方部２４２の両側部を、横方向Ｙの外方に向かって引っ張っている。伸縮部材５は、コア後方部２４２の縦中央線ＣＬｙの両側それぞれに、複数本配されていても良く、１本配されていてもよい。
【００３４】
吸収性コア２４は、着用者の股下部から臀裂にかけての部位と密着するように、コア中央部２４０から、コア後方部２４２の前端２４ａ側、即ち後方第１領域２４３の部分にかけて、吸収性コア２４の縦中央線ＣＬｙを折曲線として非肌対向面を内側にして山折りに変形することが望まれている。また、着用者の臀裂から横方向の外方の曲面形状に密着するように、コア後方部２４２の両側部分が肌対向面側に谷折りに変形し、且つ臀部の縦方向に沿う形状に密着するように、コア後方部２４２の後端２４ｂ側の部分、即ち後方第２領域２４４の部分が反り上がるように変形することが望まれている。
従来のおむつは、上記のように吸収性コアを臀部の形状に沿って変形させることが困難であり、特にコア後方部２４２における山折り部分と、谷折り部分との切り替わりがなだらかではなく、臀部とコア後方部２４２との間に隙間が生じる場合があった。また、コア後方部２４２における山折り部分の折り目が、コア後方部２４２の両側部を谷折りに変形させることと、後方第２領域２４４の部分を反り上がるように変形させることを困難にしていた。
【００３５】
これに対し本実施形態のおむつ１は、コア後方部２４２の縦中央線ＣＬｙの両側それぞれに、コア後方部２４２の側縁と交差し且つ横方向Ｙに延びる伸縮部材５を有しているため、コア後方部２４２における山折り部分が、伸縮部材５によって横方向Ｙの外方に引っ張られることで平坦となり、コア後方部２４２における山折りから谷折りへの切り替わりが容易になる。
また本実施形態の吸収性コア２４は、少なくともコア後方部２４２に、横方向Ｙに延びる複数のスリット４０が縦方向Ｘに間隔を空けて形成されているため、スリット部分の柔軟性が向上し、コア後方部２４２における山折りから谷折りへの切り替わりがなだらかになると共に、コア後方部２４２の後端２４ｂ側の部分が反り上がり易くなる。このように、本実施形態の吸収性コア２４は、排泄部から臀部にかけての部位に沿った変形が容易であり、排泄部から臀部にかけての部位に対するフィット性に優れる。
【００３６】
コア後方部２４２における山折りから谷折りへの切り替わりを容易にする観点から、横方向Ｙにおける第１伸縮部材部分５ａの長さＤ１〔図５（ｂ）参照〕は、横方向Ｙにおけるコア後方部２４２の長さＷ１〔図５（ｂ）参照〕に対して、好ましくは１０％以上、より好ましくは２０％以上であり、また好ましくは４０％以下、より好ましくは３０％以下であり、また好ましくは１０％以上４０％以下、より好ましくは２０％以上３０％以下である。なお、本実施形態のように、横方向Ｙにおけるコア後方部２４２の長さＷ１が変化している場合、「横方向Ｙにおけるコア後方部２４２の長さＷ１」は、横方向Ｙにおけるコア後方部２４２の長さの最大値を意味する。
同様の観点から、横方向Ｙにおける第１伸縮部材部分５ａの長さＤ１は、好ましくは１０ｍｍ以上、より好ましくは２０ｍｍ以上であり、また好ましくは１１０ｍｍ以下、より好ましくは８０ｍｍ以下であり、また好ましくは１０ｍｍ以上１１０ｍｍ以下、より好ましくは２０ｍｍ以上８０ｍｍ以下である。
【００３７】
コア後方部２４２における山折りから谷折りへの切り替わりを容易にする観点から、横方向Ｙにおける第２伸縮部材部分５ｂの長さＤ２〔図５（ｂ）参照〕は、第１伸縮部材部分５ａの長さＤ１よりも長いことが好ましい（Ｄ２＞Ｄ１）。
同様の観点から、横方向Ｙにおける第２伸縮部材部分５ｂの長さＤ２は、好ましくは１１ｍｍ以上、より好ましくは２１ｍｍ以上である。
本実施形態においては後述するように、伸縮部材５は、背側レッグ弾性部材３４の一部を構成している。すなわち、伸縮部材５は、一端がサイドシール部Ｓまで延びている。このように、伸縮部材は、レッグ弾性部材の一部を構成していても良いが、該レッグ弾性部材の一部を構成していなくても良い。
【００３８】
本実施形態の伸縮部材５は、図２および図５（ａ）に示すように、横方向Ｙにおけるコア後方部２４２の両側部にそれぞれに配されているが、横方向Ｙにおけるコア後方部２４２の中央部に配されていない。斯かる構成により、コア後方部２４２における山折り部分の折り目が深くなることを防ぎ、山折りから谷折りへの切り替わりをより容易にすることができる。伸縮部材５は、横方向Ｙにおけるコア後方部２４２の中央部において連続していても良いが、斯かる効果をより確実に奏させる観点から、伸縮部材５は、横方向Ｙにおけるコア後方部２４２の中央部において連続していないことが好ましく、横方向Ｙにおけるコア後方部２４２の長さＷ１を、五等分して五領域に区分したときの真ん中の区分において連続していないことがより好ましく、三等分して３領域に区分したときの真ん中の区分において連続していないことがさらに好ましい。
【００３９】
本実施形態の伸縮部材５は、図５（ａ）に示すように、複数あるスリット４０のうちの１つと、縦方向Ｘにおいて重なって位置している。斯かる構成により、コア後方部２４２、特に第２後方領域が臀部の縦方向Ｘに沿う形状に合わせた変形をより容易にすることができる。このように、伸縮部材５は、スリット領域４の少なくとも一部と縦方向Ｘにおいて重なって位置していることが好ましい。
【００４０】
本実施形態のおむつ１は、図５（ａ）及び（ｂ）に示すように、コア後方部２４２の縦中央線ＣＬｙの両側それぞれに伸縮部材５を縦方向Ｘに複数本有している。このように、伸縮部材５が複数ある場合、引っ張り応力を強める観点から、縦方向Ｘに隣り合う伸縮部材５間の間隔Ｄ３は、好ましくは２ｍｍ以上、より好ましくは４ｍｍ以上であり、また好ましくは１０ｍｍ以下、より好ましくは１５ｍｍ以下であり、また好ましくは２ｍｍ以上１５ｍｍ以下、より好ましくは４ｍｍ以上１０ｍｍ以下である。
【００４１】
また、伸縮部材５が複数ある場合、コア後方部２４２の広い範囲で山折りから谷折りへの切り替わりを容易にする観点から、縦方向Ｘにおける吸収性コア２４の最も前端２４ａ側に位置する伸縮部材５から、最も後端２４ｂ側に位置する伸縮部材５までの長さＤ４〔図５（ｂ）参照〕は、好ましくは８ｍｍ以上、より好ましくは１０ｍｍ以上であり、また好ましくは４０ｍｍ以下、より好ましくは２０ｍｍ以下であり、また好ましくは１０ｍｍ以上４０ｍｍ以下、より好ましくは１０ｍｍ以上２０ｍｍ以下である。
【００４２】
本実施形態の背側レッグ弾性部材３４は、図２に示すように、レッグギャザーを形成する本体部分３４ａと、コア後方部の側縁と交差する伸縮部材５を構成する延出部分３４ｂとを有している。背側レッグ弾性部材３４の本体部分３４ａは、図２に示すように、レッグ開口部ＬＨ，ＬＨの開口縁部に沿ってレッグギャザーを形成する部分である。また、背側レッグ弾性部材３４の延出部分３４ｂは、図２に示すように、開口縁部からおむつ１の横方向Ｙの中央に向かって延出し、さらにコア後方部の側縁と交差している部分である。このように、背側レッグ弾性部材３４は、開口縁部に配されている本体部分３４ａと、開口縁部から離れておむつ１の横方向の中央に向かって延出する延出部分３４ｂとを有しており、伸縮部材５は、背側レッグ弾性部材３４の延出部分３４ｂであることが好ましい。斯かる構成により、背側レッグ弾性部材３４が背側部Ｃの縦方向Ｘの外方に向かって収縮する応力によって、コア後方部２４２を背側部Ｃの縦方向Ｘの外方へ引き上げ、コア後方部２４２の後端２４ｂ側の部分、即ち後方第２領域２４４を反り上がり易くさせることができる。
【００４３】
コア中央部２４０における山折りの影響を受けにくい領域の形成とそれにより山折りから谷折りへの切り替えを促進できるという観点から、図６に示すように、コア後方部２４２の横方向Ｙの長さＷ１が、コア中央部２４０における横中央線ＣＬｘの位置で横方向Ｙの長さＷ２よりも大きいことが好ましい。斯かる構成により、コア後方部２４２の変形をより容易にすることができる。横方向Ｙにおけるコア後方部２４２の長さＷ１は、横方向Ｙにおけるコア中央部２４０の長さＷ２に対して、好ましくは１２０％以上、より好ましくは１７０％以上であり、また好ましくは３３０％以下、より好ましくは２５０％以下であり、また好ましくは１２０％以上３３０％以下、より好ましくは１７０％以上２５０％以下である。尚、おむつ１においては、コア中央部２４０の長さＷ２は一定であるが、横方向Ｙにおけるコア中央部２４０の長さが変化している場合、横方向Ｙにおけるコア中央部２４０の長さＷ２は、横方向Ｙにおけるコア中央部２４０の最大長さを意味する。
【００４４】
同様の観点から、横方向Ｙにおけるコア後方部２４２の長さＷ１（図６参照）は、好ましくは１００ｍｍ以上、より好ましくは１２０ｍｍ以上であり、また好ましくは３００ｍｍ以下、より好ましくは２６０ｍｍ以下であり、また好ましくは１００ｍｍ以上３００ｍｍ以下、より好ましくは１２０ｍｍ以上２６０ｍｍ以下である。
また、横方向Ｙにおけるコア中央部２４０の長さＷ２（図６参照）は、好ましくは４０ｍｍ以上、より好ましくは５０ｍｍ以上であり、また好ましくは１５０ｍｍ以下、より好ましくは１２０ｍｍ以下であり、また好ましくは４０ｍｍ以上１５０ｍｍ以下、より好ましくは５０ｍｍ以上１２０ｍｍ以下である。
【００４５】
吸収性コア２４を、排泄部から臀部にかけての部位に沿ってより容易に変形させる観点から、コア中央部２４０におけるスリット領域４の一部は、縦方向Ｘにおけるコア中央部２４０の全長を、二等分して２領域に区分したときの後端２４ｂ側の領域に位置していることが好ましく、三等分して３領域に区分したときの後端２４ｂ側の１領域に位置していることがより好ましい。
【００４６】
上記の効果をより確実に奏させるため、縦方向Ｘにおける横中央線ＣＬｘから、該横中央線ＣＬｘに最も近いスリット４０ａの前端Ｆ１までの長さＰ１（図６参照）が、好ましくは３０ｍｍ以上、より好ましくは４０ｍｍ以上であり、また好ましくは１００ｍｍ以下、より好ましくは８０ｍｍ以下であり、また好ましくは３０ｍｍ以上１００ｍｍ以下、より好ましくは４０ｍｍ以上８０ｍｍ以下である。縦方向Ｘにおいて横中央線ＣＬｘに最も近いスリット４０とは、本実施形態における第１スリット４０ａである。
【００４７】
同様の観点から、縦方向Ｘにおける横中央線ＣＬｘから、該横中央線ＣＬｘに２番目に近いスリット４０ｂの後端Ｂ２までの長さＰ２（図６参照）が、好ましくは５０ｍｍ以上、より好ましくは８０ｍｍ以上であり、また好ましくは１８０ｍｍ以下、より好ましくは１４０ｍｍ以下であり、また好ましくは５０ｍｍ以上１８０ｍｍ以下、より好ましくは８０ｍｍ以上１４０ｍｍ以下である。横中央線ＣＬｘに２番目に近いスリット４０は、本実施形態における第２スリット４０ｂである。
【００４８】
同様の観点から、縦方向Ｘにおける、横中央線ＣＬｘに最も近いスリット４０ａの前端Ｆ１から、該スリット４０ａと隣り合うスリット４０ｂの後端Ｂ２までの長さＰ３（図６参照）が、好ましくは５ｍｍ以上、より好ましくは１０ｍｍ以上であり、また好ましくは５０ｍｍ以下、より好ましくは３０ｍｍ以下であり、また好ましくは５ｍｍ以上５０ｍｍ以下、より好ましくは１０ｍｍ以上３０ｍｍ以下である。縦方向Ｘにおける、横中央線ＣＬｘに最も近いスリット４０ａの前端Ｆ１から、該スリット４０ａと隣り合うスリット４０ｂの後端Ｂ２までの長さＰ３は、本実施形態における第１スリット４０ａの前端Ｆ１から、第２スリット４０ｂの後端Ｂ２までの長さである。
【００４９】
同様の観点から、縦方向Ｘにおける横中央線ＣＬｘに最も近いスリット４０ａの前端Ｆ１から、横中央線ＣＬｘに最も遠いスリット４０の後端ＢＢまでの長さＰ４（図６参照）が、好ましくは２０ｍｍ以上、より好ましくは５０ｍｍ以上であり、また好ましくは２５０ｍｍ以下、より好ましくは１５０ｍｍ以下であり、また好ましくは２０ｍｍ以上２５０ｍｍ以下、より好ましくは５０ｍｍ以上１５０ｍｍ以下である。吸収性コア２４における最も遠いスリット４０とは、図６に示すように、本実施形態においては第５スリット４０ｅであり、スリット４０が４つある場合は第４スリット４０ｄである。
【００５０】
コア後方部２４２の形状維持の観点から、横方向Ｙにおけるスリット４０の長さＷ３（図６参照）は、横方向Ｙにおけるコア後方部２４２の長さＷ１に対して、好ましくは２０％以上、より好ましくは４０％以上であり、または好ましくは９０％以下、より好ましくは７０％以下であり、または好ましくは２０％以上９０％以下、より好ましくは４０％以上７０％以下である。
同様の観点から、横方向Ｙにおけるスリット４０の長さＷ３は、好ましくは２０ｍｍ以上、より好ましくは４０ｍｍ以上であり、また好ましくは２７０ｍｍ以下、より好ましくは１８０ｍｍ以下であり、また好ましくは２０ｍｍ以上２７０ｍｍ以下、より好ましくは４０ｍｍ以上１８０ｍｍ以下である。
【００５１】
本実施形態のスリット４０は、図６に示すように、横方向Ｙにおける両端部それぞれが、コア後方部２４２の側縁部から離間している。斯かる構成により、吸収性コア２４を臀部の形状に沿って変形させることがより容易になり、臀部へのフィット性を向上させることができる。このように、スリット４０は、横方向Ｙにおける両端部それぞれが、コア後方部２４２の側縁部に達していないことが好ましい。横方向Ｙにおけるスリット４０とコア後方部２４２の側縁部との離間距離Ｌ３（図６参照）は、好ましくは５ｍｍ以上、より好ましくは２５ｍｍ以上であり、また好ましくは２４０ｍｍ以下、より好ましくは１５０ｍｍ以下であり、また好ましくは５ｍｍ以上２４０ｍｍ以下、より好ましくは２５ｍｍ以上１５０ｍｍ以下である。なお、スリット４０とコア後方部２４２の側縁部との離間距離Ｌ３は、横方向Ｙに沿って測定されるスリット４０の端部からコア後方部２４２の側縁までの距離である。
また、図５（ｂ）に示すように、本実施形態のコア後方部２４２は、横方向Ｙにおける該コア後方部２４２の長さＷ１が、縦方向Ｘにおいて一定ではない。このように、横方向Ｙにおけるコア後方部２４２の長さが変化している場合、スリット４０とコア後方部２４２との離間距離Ｌ３の最小値が、上記の範囲であればよい。
さらに、吸収性コア２４に存する複数のスリット４０において、好ましくは１つ以上、より好ましくは２つ以上、さらに好ましくは全てのスリット４０が、スリット４０とコア後方部２４２との離間距離Ｌ３が上記の範囲にあることが好ましい。
【００５２】
臀部へのフィット性向上と屈曲性とスリット４０のつぶれにくさとのバランスの観点から、縦方向Ｘにおけるスリット４０の長さＬ１は、好ましくは１ｍｍ以上、より好ましくは３ｍｍ以上であり、また好ましくは２０ｍｍ以下、より好ましくは１０ｍｍ以下であり、また好ましくは１ｍｍ以上２０ｍｍ以下、より好ましくは３ｍｍ以上１０ｍｍ以下である。尚、図６に示すように、スリット４０における吸収性コア２４の前端２４ａ側の縁部４１は湾曲している。このように、縦方向Ｘにおけるスリット４０の長さＬ１は一定でなくてもよい。縦方向Ｘにおけるスリット４０の長さが一定でない場合、縦方向Ｘにおけるスリット４０の長さＬ１は、縦方向Ｘにおけるスリット４０の長さの最大値を意味する。また、長方形状のスリットのように、縦方向Ｘにおけるスリット４０の長さが一定であってもよい。
【００５３】
スリット４０は、吸収性コア２４の厚み方向に切れ込まれた切り込みであってもよく、肌対向面側及び非肌対向面側のいずれか一方に開口した底部を有する凹部、即ち溝であってもよく、吸収性コア２４の厚み方向に貫通した貫通孔であってもよいが、貫通孔であることが好ましい。また、スリット４０における開口部分が、吸収性コア２４の形成材料からなる層で塞がれていてもよい。
スリット４０の厚み方向における深さは、吸収性コア２４の厚みに対し、好ましくは５０％以上、より好ましくは７０％以上である。なお、上記の吸収性コア２４の厚さは、縦方向Ｘ及び横方向Ｙにおけるスリット４０を有する位置での厚さである。
【００５４】
スリット４０の平面視における形状は特に制限されず、直線状、矩形状等でも良い。
本実施形態のスリット４０は、図６に示すように、縦方向Ｘにおける吸収性コア２４の前端２４ａ側の縁部４１が、該前端２４ａ側に向かって凸に湾曲した円弧状である。斯かる構成により、吸収性コア２４の変形をより容易にすることができる。このようにスリット４０が一方向に向かって凸の部分を有する形状であることが好ましい。このようなスリット４０として、例えば、縦方向Ｘにおける吸収性コア２４の前端２４ａ側に向かって凸に湾曲又は屈曲した形状のものや、該前端２４ａ側に向かって凸に段差を有する形状のもの、該前端２４ａ側に向かって先細る形状等が挙げられる。
【００５５】
図５（ａ）、（ｂ）及び図６に示すように、複数のスリット４０の形状や長さはそれぞれ同じであり同形同大に形成されているが、それぞれのスリット４０は異なる形状であってもよく、縦方向Ｘ及び横方向Ｙの長さが異なっていてもよい。例えば図７（ａ）及び（ｂ）に示すように、複数のスリット４０は、縦方向Ｘ及び横方向Ｙの長さがそれぞれ異なっていてもよい。また、図７（ｂ）に示すように、２種の同形同大のスリット４０を交互に形成していてもよい。
【００５６】
スリット４０は２つ以上あれば数は特に制限されないが、吸収性物品のフィット性を向上させる観点から、好ましくは２個以上、より好ましくは４個以上であり、また好ましくは２０個以下、より好ましくは１０個以下であり、また好ましくは２個以上２０個以下、より好ましくは４個以上１０個以下である。
【００５７】
スリット領域４における複数のスリット４０は、図６に示すように、縦方向Ｘに間隔を空けて形成されている。スリット領域４の形状維持の観点から、縦方向Ｘに隣り合うスリット４０間の間隔Ｌ２（図６参照）は、縦方向Ｘにおけるスリット４０の長さＬ１よりも長い方が好ましい（Ｌ２＞Ｌ１）。
同様の観点から、縦方向Ｘに隣り合うスリット４０間の間隔Ｌ２（図６参照）は、好ましくは２ｍｍ以上、より好ましくは５ｍｍ以上であり、また好ましくは３０ｍｍ以下、より好ましくは１５ｍｍ以下であり、また好ましくは２ｍｍ以上３０ｍｍ以下、より好ましくは５ｍｍ以上１５ｍｍ以下である。本実施形態において、図６に示すように、第１スリット４０ａにおける吸収性コア２４の後端２４ｂ側の縁部４２と、第２スリット４０ｂにおける吸収性コア２４の前端２４ａ側の縁部４１とは平行ではない。つまり、第１スリット４０ａと第２スリット４０ｂ間の間隔Ｌ２は横方向Ｙにおいて変化している。このように、縦方向Ｘに隣り合うスリット４０間の間隔Ｌ２が一定ではない場合、縦方向Ｘに隣り合うスリット４０間の間隔Ｌ２の最小値及び最大値が上記の範囲内であることが好ましい。
【００５８】
本実施形態のおむつ１は、図８に示すように、吸収性コア２４において、コア中央部２４０における後方第１領域２４３寄りの部分が、吸収性コア２４の縦中央線ＣＬｙを折曲線として非肌対向面を内側にして山折りに変形、即ち横方向Ｙに沿う断面視において逆Ｖ字状に変形して隆起部が形成され、その隆起部が着用者の臀裂にフィットする。この隆起部は、着用時において後方第１領域２４３のみに形成されてもよい。
また、後方第２領域２４４における側部が、着用者の臀部の曲面形状に沿うように、着用者の肌側に向けて谷折りに変形して臀部の曲面形状に密着する。さらに、後方第２領域２４４が、縦方向Ｘにおける吸収性コア２４の前端２４ａ側から後端２４ｂ側に向かって、そり上がるように変形して、臀部の縦方向に沿う部位に密着する。
本実施形態のおむつ１によれば、コア後方部２４２の縦中央線ＣＬｙの両側それぞれに伸縮部材５（図８において図示せず）が、コア後方部２４２の側縁と交差して横方向Ｙに延びているため、上記のコア後方部２４２の隆起部における山折りから、後方第２領域における谷折りへの切り替わりがなだらかになる。これにより、臀部とコア後方部２４２との間に隙間が生じることを防ぎ、臀部とコア後方部２４２とを密着させることができる。
また、本実施形態のおむつ１によれば、少なくとも前記コア後方部２４２において、横方向Ｙに延びる複数のスリット４０が縦方向Ｘに間隔を空けて形成されているため、第２後方領域を持ち上げるように屈曲させると、図８に示すように、複数のスリット４０の開口部分が閉じられ、コア後方部２４２をなだらかに反り上げさせることができる。これにより、コア後方部２４２を、着用者の排泄部から臀部にかけての部位の形状に合わせて変形させることができる。
従って、本実施形態のおむつ１は、臀部の外形形状に適合するように変形して着用者の肌に密着し得るため、臀部に対するフィット性に優れている。
【００５９】
本発明の範囲はかかる実施形態に制限されない。また本発明は更に以下の吸収性物品を開示する。
＜１＞
表面シート、裏面シート及びこれらの間に配された吸収性コアを有し、着用者の前後方向に相当する縦方向とこれに直交する横方向とを有する吸収性物品であって、
前記吸収性コアは、前記吸収性物品を前記縦方向に二等分して前記横方向に延びる横中央線に位置するコア中央部と、該コア中央部の前記縦方向の後端に連接され、該横中央線から前記吸収性コアの後端までの領域を前記縦方向に三等分して３領域に区分したときの後端側の２領域からなる領域であるコア後方部とを有しており、
前記吸収性コアにおける少なくとも前記コア後方部に、前記横方向に延びる複数のスリットが前記縦方向に間隔を空けて形成されており、
前記吸収性物品は、前記コア後方部の前記縦方向に沿う両側縁それぞれと交差し且つ前記横方向に延びる伸縮部材を有している、吸収性物品。
【００６０】
＜２＞
前記吸収性コアは、複数の前記スリットが前記縦方向に間隔を空けて形成されたスリット領域を有しており、
前記スリット領域は、少なくとも前記コア後方部に形成されている、前記＜１＞に記載の吸収性物品。
＜３＞
前記伸縮部材は、スリット領域の少なくとも一部と縦方向において重なって位置している、前記＜１＞又は＜２＞に記載の吸収性物品。
＜４＞
前記コア後方部の前記横方向の長さが、前記コア中央部における前記横中央線の位置での前記横方向の長さよりも大きい、前記＜１＞〜＜３＞の何れか１に記載の吸収性物品。
＜５＞
前記横方向におけるコア後方部の長さが、前記横方向におけるコア中央部の長さよりも大きい、前記＜１＞〜＜４＞の何れか１に記載の吸収性物品。
＜６＞
前記横方向におけるコア後方部の長さが、前記横方向におけるコア中央部の長さに対して、好ましくは１２０％以上、より好ましくは１７０％以上であり、また好ましくは３３０％以下、より好ましくは２５０％以下であり、また好ましくは１２０％以上３３０％以下、より好ましくは１７０％以上２５０％以下である、前記＜１＞〜＜５＞の何れか１に記載の吸収性物品。
＜７＞
前記横方向におけるコア後方部の長さが、好ましくは１００ｍｍ以上、より好ましくは１２０ｍｍ以上であり、また好ましくは３００ｍｍ以下、より好ましくは２６０ｍｍ以下であり、また好ましくは１００ｍｍ以上３００ｍｍ以下、より好ましくは１２０ｍｍ以上２６０ｍｍ以下である、前記＜１＞〜＜６＞の何れか１に記載の吸収性物品。
＜８＞
前記横方向におけるコア中央部の長さが、好ましくは４０ｍｍ以上、より好ましくは５０ｍｍ以上であり、また好ましくは１５０ｍｍ以下、より好ましくは１２０ｍｍ以下であり、また好ましくは４０ｍｍ以上１５０ｍｍ以下、より好ましくは５０ｍｍ以上１２０ｍｍ以下である、前記＜１＞〜＜７＞の何れか１に記載の吸収性物品。
＜９＞
前記吸収性コアは、前記吸収性物品を前記横中央線よりも前記縦方向の後側の領域において、前記縦方向の前側から後側に向かうに従って前記横方向の長さが漸次増加する後方第１領域と、該後方第１領域の前記縦方向の後端に連接され、且つ該後方第１領域に比して前記縦方向における前記横方向の長さの変化が少ない後方第２領域とを有しており、
前記コア後方部は、前記後方第１領域及び前記後方第２領域を含んで構成されている、前記＜１＞〜＜８＞の何れか１に記載の吸収性物品。
＜１０＞
前記コア中央部は、前記縦方向に所定の長さを有する領域であり、該コア中央部の前記縦方向に沿う両側縁は、それぞれ前記縦方向に平行である、前記＜１＞〜＜９＞の何れか１に記載の吸収性物品。
【００６１】
＜１１＞
前記伸縮部材は、前記コア後方部の前記横方向の中央部において連続していない、前記＜１＞〜＜１０＞の何れか１に記載の吸収性物品。
＜１２＞
前記伸縮部材は、前記コア後方部と重なる部分と、前記横方向における前記コア後方部の外方に延出する部分とを有している、前記＜１＞〜＜１１＞の何れか１に記載の吸収性物品。
＜１３＞
前記伸縮部材は、前記横方向における前記コア後方部と重なる部分の長さが、前記横方向におけるコア後方部の長さに対して、好ましくは１０％以上、より好ましくは２０％以上であり、また好ましくは４０％以下、より好ましくは３０％以下であり、また好ましくは１０％以上４０％以下、より好ましくは２０％以上３０％以下である、前記＜１＞〜＜１２＞の何れか１に記載の吸収性物品。
＜１４＞
前記伸縮部材は、前記横方向における前記コア後方部と重なる部分の長さが、好ましくは１０ｍｍ以上、より好ましくは２０ｍｍ以上であり、また好ましくは１１０ｍｍ以下、より好ましくは８０ｍｍ以下であり、また好ましくは１０ｍｍ以上１１０ｍｍ以下、より好ましくは２０ｍｍ以上８０ｍｍ以下である、前記＜１＞〜＜１３＞の何れか１に記載の吸収性物品。
＜１５＞
前記伸縮部材は、前記横方向における前記コア後方部の外方に延出する部分の長さが、前記コア後方部と重なる部分の長さよりも長い、前記＜１＞〜＜１４＞の何れか１に記載の吸収性物品。
＜１６＞
前記伸縮部材は、前記横方向における前記コア後方部の外方に延出する部分の長さが、好ましくは１１ｍｍ以上、より好ましくは２１ｍｍ以上である、前記＜１＞〜＜１５＞の何れか１に記載の吸収性物品。
＜１７＞
前記伸縮部材は、複数の前記スリットのうちの少なくとも１つと、前記縦方向において重なって位置している、前記＜１＞〜＜１６＞の何れか１に記載の吸収性物品。
＜１８＞
前記吸収性物品は、前記縦方向に並んだ前記伸縮部材を複数本有しており、
前記縦方向に隣り合う前記伸縮部材間の間隔が、好ましくは２ｍｍ以上、より好ましくは４ｍｍ以上であり、また好ましくは１０ｍｍ以下、より好ましくは１５ｍｍ以下であり、また好ましくは２ｍｍ以上１５ｍｍ以下、より好ましくは４ｍｍ以上１０ｍｍ以下である、前記＜１＞〜＜１７＞の何れか１に記載の吸収性物品。
＜１９＞
前記縦方向における前記吸収性コアの最も前端側に位置する前記伸縮部材から、最も後端側に位置する前記伸縮部材までの長さが、好ましくは８ｍｍ以上、より好ましくは１０ｍｍ以上であり、また好ましくは４０ｍｍ以下、より好ましくは２０ｍｍ以下であり、また好ましくは１０ｍｍ以上４０ｍｍ以下、より好ましくは１０ｍｍ以上２０ｍｍ以下である、前記＜１８＞に記載の吸収性物品。
＜２０＞
前記吸収性物品は、前記吸収性コアを含む吸収性本体と、該吸収性本体の非肌対向面側に配された外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であり、
前記伸縮部材は、前記サイドシール部まで延びている、前記＜１＞〜＜１９＞の何れか１に記載の吸収性物品。
【００６２】
＜２１＞
前記吸収性物品は、前記一対のレッグ開口部それぞれの開口縁部に沿ってレッグ弾性部材が配されており、
前記レッグ弾性部材として、前記背側部から前記股下部に亘って配されている背側レッグ弾性部材を有し、該背側レッグ弾性部材は、前記開口縁部に配されている本体部分と、前記開口縁部から離れて前記吸収性物品の前記横方向の中央に向かって延出する延出部分とを有しており、
前記伸縮部材は、前記背側レッグ弾性部材の前記延出部分である、前記＜１＞〜＜２０＞の何れか１に記載の吸収性物品。
＜２２＞
前記縦方向における前記横中央線から、該横中央線に最も近い前記スリットの前端までの長さが、好ましくは３０ｍｍ以上、より好ましくは４０ｍｍ以上であり、また好ましくは１００ｍｍ以下、より好ましくは８０ｍｍ以下であり、また好ましくは３０ｍｍ以上１００ｍｍ以下、より好ましくは４０ｍｍ以上８０ｍｍ以下である、前記＜１＞〜＜２１＞の何れか１に記載の吸収性物品。
＜２３＞
前記縦方向における前記横中央線から、該横中央線に２番目に近い前記スリットの後端までの長さが、好ましくは５０ｍｍ以上、より好ましくは８０ｍｍ以上であり、また好ましくは１８０ｍｍ以下、より好ましくは１４０ｍｍ以下であり、また好ましくは５０ｍｍ以上１８０ｍｍ以下、より好ましくは８０ｍｍ以上１４０ｍｍ以下である、前記＜１＞〜＜２２＞の何れか１に記載の吸収性物品。
＜２４＞
前記縦方向における前記横中央線に最も近い前記スリットの前端から、該スリットと隣り合う前記スリットの後端までの長さが、好ましくは５ｍｍ以上、より好ましくは１０ｍｍ以上であり、また好ましくは５０ｍｍ以下、より好ましくは３０ｍｍ以下であり、また好ましくは５ｍｍ以上５０ｍｍ以下、より好ましくは１０ｍｍ以上３０ｍｍ以下である、前記＜１＞〜＜２３＞の何れか１に記載の吸収性物品。
＜２５＞
前記縦方向における前記横中央線に最も近い前記スリットの前端から、前記横中央線に最も遠い前記スリットの後端までの長さが、好ましくは２０ｍｍ以上、より好ましくは５０ｍｍ以上であり、また好ましくは２５０ｍｍ以下、より好ましくは１５０ｍｍ以下であり、また好ましくは２０ｍｍ以上２５０ｍｍ以下、より好ましくは５０ｍｍ以上１５０ｍｍ以下である、前記＜１＞〜＜２４＞の何れか１に記載の吸収性物品。
＜２６＞
前記横方向における前記スリットの長さは、前記横方向におけるコア後方部の長さに対して、好ましくは２０％以上、より好ましくは４０％以上であり、または好ましくは９０％以下、より好ましくは７０％以下であり、または好ましくは２０％以上９０％以下、より好ましくは４０以上７０％以下である、前記＜１＞〜＜２５＞の何れか１に記載の吸収性物品。
＜２７＞
前記横方向における前記スリットの長さは、好ましくは２０ｍｍ以上、より好ましくは４０ｍｍ以上であり、また好ましくは２７０ｍｍ以下、より好ましくは１８０ｍｍ以下であり、また好ましくは２０ｍｍ以上２７０ｍｍ以下、より好ましくは４０ｍｍ以上１８０ｍｍ以下である、前記＜１＞〜＜２６＞の何れか１に記載の吸収性物品。
＜２８＞
前記縦方向における前記スリットの長さは、好ましくは１ｍｍ以上、より好ましくは３ｍｍ以上であり、また好ましくは２０ｍｍ以下、より好ましくは１０ｍｍ以下であり、また好ましくは１ｍｍ以上２０ｍｍ以下、より好ましくは３ｍｍ以上１０ｍｍ以下である、前記＜１＞〜＜２７＞の何れか１に記載の吸収性物品。
＜２９＞
前記縦方向に隣り合う前記スリット間の間隔は、前記縦方向における前記スリットの長さよりも長い、前記＜１＞〜＜２８＞の何れか１に記載の吸収性物品。
＜３０＞
前記縦方向に隣り合う前記スリット間の間隔は、好ましくは２ｍｍ以上、より好ましくは５ｍｍ以上であり、また好ましくは３０ｍｍ以下、より好ましくは１５ｍｍ以下であり、また好ましくは２ｍｍ以上３０ｍｍ以下、より好ましくは５ｍｍ以上１５ｍｍ以下である、前記＜１＞〜＜２９＞の何れか１に記載の吸収性物品。
【００６３】
＜３１＞
前記スリットは、前記横方向における両端部それぞれが、前記コア後方部の側縁部に達していない、前記＜１＞〜＜３０＞の何れか１に記載の吸収性物品。
＜３２＞
前記横方向における前記スリットと前記コア後方部の側縁部との離間距離は、好ましくは５ｍｍ以上、より好ましくは２５ｍｍ以上であり、また好ましくは２４０ｍｍ以下、より好ましくは１５０ｍｍ以下であり、また好ましくは５ｍｍ以上２４０ｍｍ以下、より好ましくは２５ｍｍ以上１５０ｍｍ以下である、前記＜１＞〜＜３１＞の何れか１に記載の吸収性物品。
＜３３＞
前記スリットの数が、好ましくは２個以上、より好ましくは４個以上であり、また好ましくは２０個以下、より好ましくは１０個以下であり、また好ましくは２個以上２０個以下、より好ましくは４個以上１０個以下である、前記＜１＞〜＜３２＞の何れか１に記載の吸収性物品。
【符号の説明】
【００６４】
１  パンツ型使い捨ておむつ（吸収性物品）
２  吸収性本体
２１  表面シート
２２  裏面シート
２３  吸収体
２４  吸収性コア
２４０  コア中央部
２４１  コア前方部
２４２  コア後方部
２４３  後方第１領域
２４４  後方第２領域
２５  コアラップシート
３  外装体
３１  外層シート
３２  内層シート
３４  背側レッグ弾性部材
４  スリット領域
４０  スリット
４１  吸収性コアの前端側の縁部
４２  吸収性コアの後端側の縁部
５  伸縮部材
５ａ  第１伸縮部材部分
５ｂ  第２伸縮部材部分
Ａ  腹側部
Ｂ  股下部
Ｃ  背側部
ＣＬｘ  横中央線
ＣＬｙ  縦中央線
Ｓ    サイドシール部
Ｌ２  間隔
Ｘ  縦方向
Ｙ  横方向
【図１】
2018082853.tif 000003
【図２】
2018082853.tif 000004
【図３】
2018082853.tif 000005
【図４】
2018082853.tif 000006
【図５】
2018082853.tif 000007
【図６】
2018082853.tif 000008
【図７】
2018082853.tif 000009
【図８】
2018082853.tif 000010